(57)【特許請求の範囲】
【請求項１】
試料及び試薬から生成された反応液の成分を測定する自動分析装置において、
前記試料、前記試薬、及び、前記反応液の少なくとも一つを収容し、識別標示が付された容器と、
前記識別標示を読み取る読取部と、
前記識別標示と前記読取部との間の光路を構成する光反射部材と、
前記容器を格納する収容庫と、
少なくとも前記収容庫を外部から覆うカバー部材と、
前記カバー部材の下方に配され、前記光反射部材を外部から覆うパネル部材と、
前記パネル部材の外側に設けられ、前記光反射部材に連結された操作部材と、
を有し、
前記光反射部材は、前記光反射部材の表面を拭き取るために、前記光路の内と前記光路の外との間で移動可能に構成され、
前記光反射部材は、前記操作部材が操作されることにより、前記光路の内と外との間で移動可能に構成される自動分析装置。
【請求項２】
試料及び試薬から生成された反応液の成分を測定する自動分析装置において、
前記試料、前記試薬、及び、前記反応液の少なくとも一つを収容し、識別標示が付された容器と、
前記識別標示を読み取る読取部と、
前記識別標示と前記読取部との間の光路を構成する光反射部材と、
ワイパー部材と、
前記容器を格納する収容庫と、
少なくとも前記収容庫を外部から覆うカバー部材と、
前記カバー部材の下方に配され、前記光反射部材及びワイパー部材を外部から覆うパネル部材と、
前記パネル部材の外側に設けられ、前記光反射部材又はワイパー部材の一方の部材に連結された操作部材と、
を有し、
前記光反射部材又はワイパー部材の一方を前記光路の内と外との間で移動させ、前記移動により、前記ワイパー部材が前記光反射部材の表面を拭き取り、
前記一方の部材は、前記操作部材が操作されることにより、前記光路の内と外との間で移動可能に構成されることを特徴とする自動分析装置。
【請求項３】
試料及び試薬から生成された反応液の成分を測定する自動分析装置において、
前記試料、前記試薬、及び、前記反応液の少なくとも一つを収容し、識別標示が付された容器と、
前記識別標示を読み取る読取部と、
前記識別標示と前記読取部との間の光路を構成する光反射部材と、
ワイパー部材と、
前記容器を格納する収容庫と、
少なくとも前記収容庫を外部から覆うカバー部材と、
を有し、
前記光反射部材又はワイパー部材の一方を前記光路の内と外との間で移動させ、前記移動により、前記ワイパー部材が前記光反射部材の表面を拭き取り、
前記光反射部材又はワイパー部材の一方の部材は、前記カバー部材の開閉に連動して、前記光路の内と外との間で移動可能に構成されることを特徴とする自動分析装置。
【請求項４】
前記一方の部材は前記ワイパー部材であり、
前記ワイパー部材は前記操作部材に固定され、
前記操作部材は、該操作部材が前記光路の内に移動したときに、前記光路を通すための開口を有していることを特徴とする請求項２に記載の自動分析装置。
【発明の詳細な説明】
【技術分野】
【０００１】
この発明は、血液や尿などの試料に含まれる成分の濃度、あるいは活性値などを、試薬との化学反応を利用して光学的、電気的に測定する自動分析装置に関するもので、特に、試薬を収容する試薬庫に付された識別標示を読取部で読み取るようにした自動分析装置に関する。識別標示及び読取部としては、例えば、バーコード及びバーコードリーダである。
【背景技術】
【０００２】
従来の自動分析装置には、試薬を収納しておくための試薬庫が設けられている。試薬庫には試薬の入った試薬容器が格納される。試薬容器はその位置情報及び測定項目と対応付けられて装置に記憶されている。ところが、試薬数が増えていくと、位置情報の入力が大変な作業となり、試薬容器の交換時に位置を間違えてしまう誤作業が発生するおそれがある。
【０００３】
そこで、最近では、試薬容器に試薬の情報（種類、ロット番号等）を標示する識別標示（バーコード）が貼付され、試薬庫壁面の一部にある窓を通し、試薬庫外周に取り付けられた読取部（バーコードリーダ）からその情報を読み取る試薬管理の技術がある（例えば、特許文献１）。それにより、試薬庫のどの位置に試薬容器を置いても、正しく測定項目に有った試薬を選別でき、それを分注することが可能となった。
【０００４】
上記の識別標示及び読取部を用いた試薬管理の技術において、識別標示（バーコード）を読み取るために、読取部と識別標示との間の光路長を一定長さ以上確保する必要があり、また、読取部を設置するスペースに制限が設けられる場合に、光路を自在に設計する必要がある。そこで、光路を光反射部材（反射鏡）により構成することが考えられる。光反射部材で光路を屈曲させることにより、光路長を一定長さ以上確保し、読取部を所望のスペースに設置することが可能となる。読取部及び光反射部材は所定位置に調整され、パネル部材で外部から覆われている。
【先行技術文献】
【特許文献】
【０００５】
【特許文献１】特開２００２−１３９５０３号公報
【発明の概要】
【発明が解決しようとする課題】
【０００６】
しかしながら、光反射部材に汚れ（主に、外気の汚れ）が付着するとエラーとなり測定が停止する。光反射部材の汚れを拭き取るために一旦装置を停め、パネル部材を外して、光反射部材の汚れを拭き取らなければならないため手間がかかる。また、光反射部材の周りにはほとんど隙間が無く、位置調整された読取部に干渉しないよう注意しながら光反射部材の汚れを拭き取らなければならないという問題点があった。
【０００７】
この問題点を解決するためには、作業時間をかけず、光反射部材の汚れを容易に拭き取ることのできることが望ましく、また、所定位置に設けられた読取部に干渉しないよう汚れを拭き取れることが望ましい。
【０００８】
この発明は、上記の問題を解決するものであり、必要な時に、容易に光反射部材の汚れを拭き取ることができ、拭き取りに時間がかからないので、測定動作への影響を最小限に抑えることができる自動分析装置を提供することを目的とする。
【課題を解決するための手段】
【０００９】
上記課題を解決するため、この発明は、パネル部材を外すことなく、光反射部材の表面の汚れを拭き取ることに着目した。
具体的に、この発明の一の形態は、試料及び試薬から生成された反応液の成分を測定する自動分析装置において、前記試料、前記試薬、及び、前記反応液の少なくとも一つを収容し、識別標示が付された容器と、前記識別標示を読み取る読取部と、前記識別標示と前記読取部との間の光路を構成する光反射部材と、前記容器を格納する収容庫と、少なくとも前記収容庫を外部から覆うカバー部材と、前記カバー部材の下方に配され、前記光反射部材を外部から覆うパネル部材と、前記パネル部材の外側に設けられ、前記光反射部材に連結された操作部材と、を有し、前記光反射部材は、前記光反射部材の表面を拭き取るために、前記光路の内と前記光路の外との間で移動可能に構成され、前記光反射部材は、前記操作部材が操作されることにより、前記光路の内と外との間で移動可能に構成される自動分析装置である。
また、この発明の他の形態は、試料及び試薬から生成された反応液の成分を測定する自動分析装置において、前記試料、前記試薬、及び、前記反応液の少なくとも一つを収容し、識別標示が付された容器と、前記識別標示を読み取る読取部と、前記識別標示と前記読取部との間の光路を構成する光反射部材と、ワイパー部材と、前記容器を格納する収容庫と、少なくとも前記収容庫を外部から覆うカバー部材と、前記カバー部材の下方に配され、前記光反射部材及びワイパー部材を外部から覆うパネル部材と、前記パネル部材の外側に設けられ、前記光反射部材又はワイパー部材の一方の部材に連結された操作部材と、を有し、前記光反射部材又はワイパー部材の一方を前記光路の内と外との間で移動させ、前記移動により、前記ワイパー部材が前記光反射部材の表面を拭き取り、前記一方の部材は、前記操作部材が操作されることにより、前記光路の内と外との間で移動可能に構成されることを特徴とする自動分析装置である。
また、この発明のさらに他の形態は、試料及び試薬から生成された反応液の成分を測定する自動分析装置において、前記試料、前記試薬、及び、前記反応液の少なくとも一つを収容し、識別標示が付された容器と、前記識別標示を読み取る読取部と、前記識別標示と前記読取部との間の光路を構成する光反射部材と、ワイパー部材と、前記容器を格納する収容庫と、少なくとも前記収容庫を外部から覆うカバー部材と、を有し、前記光反射部材又はワイパー部材の一方を前記光路の内と外との間で移動させ、前記移動により、前記ワイパー部材が前記光反射部材の表面を拭き取り、前記光反射部材又はワイパー部材の一方の部材は、前記カバー部材の開閉に連動して、前記光路の内と外との間で移動可能に構成されることを特徴とする自動分析装置である。
【発明の効果】
【００１０】
この発明によると、必要な時に、容易に光反射部材の汚れを拭き取ることができ、拭き取りに時間がかからないので、測定動作への影響を最小限に抑えることができる。
【００１１】
また、この発明の一の形態によると、光反射部材を光路の外に移動させることにより、容易に光反射部材の表面の汚れを拭き取ることが可能となる。
【００１２】
さらに、この発明の他の形態によると、光反射部材又はワイパー部材の一方を光路の内から外に移動させることにより、容易に光反射部材の表面の汚れを拭き取ることが可能となる。
【図面の簡単な説明】
【００１３】
【図１】本発明の第１の実施形態に係る自動分析装置の内部を示す平面図である。
【図２】識別標示を読取るための読取機構を示す部分平面図である。
【図３】図２のIII矢視図である。
【図４】図３のIV−IV線断面図である。
【図５】ワイパー部材を光路の外（左側）に移動させた場合の読取機構等を示す矢視図である。
【図６】本発明の第２の実施形態に係る読取機構を示す図である。
【図７】図６のVII−VII線断面図である。
【図８】光反射部材を光路の外に移動させた場合の読取機構等を示す矢視図である。
【図９】本発明の第３の実施形態に係る読取機構を示す部分平面図である。
【図１０】図９のＸ矢視図であり、カバー部材を開いた場合の読取機構を示す図である。
【図１１】カバー部材を閉じた場合の読取機構を示す図である。
【発明を実施するための形態】
【００１４】
［第１の実施の形態］
この発明の第１の実施形態に係る自動分析装置の構成について図１から図５を参照して説明する。自動分析装置は、試料及び試薬から生成された反応液の成分を測定する装置である。
【００１５】
自動分析装置１０の全体構成について図１を参照して簡単に説明する。図１は、自動分析装置１０の内部を示す平面図である。
【００１６】
自動分析装置１０は、その内部を開閉するためのカバー部材（図示省略）と、内部に配され、試料を収容するための試料容器（図示省略）、試薬を収容するための試薬容器（図示省略）、及び、反応液を収容するための収容容器（図示省略）、これらの容器を格納するための収容庫である試料庫１１、試薬庫１２及び反応庫１３とを有している。
【００１７】
試料庫１１は、複数の試料容器を円周方向に並べた状態で載置するディスクサンプラ１１１と、５本程度の試料容器を並べられて載置するラックトレイ１１２と、複数の試料容器を直線方向に並べた状態で載置するラックサンプラ１１３とを有している。試薬庫１２は、円周方向に並べた状態で載置された試薬容器を有し、試薬容器には、試料に含まれる特定成分に対して選択的に反応する試薬が収容されている。反応庫１３は、複数の反応容器（図示省略）を円周方向に並べた状態で載置し、反時計方向に回転する反応ライン（図示省略）を有している。
【００１８】
以上の構成により、分注された試料及び試薬から反応液を生成し、反応液の成分を測定することについて説明する。
【００１９】
試料の分注では、試料アーム２１を移動させて、試料プローブ（図示省略）により所定の試料容器から試料を吸引させ、所定の反応容器に排出させる。また、試薬の分注では、試薬アーム２２を移動させて、試薬プローブ（図示省略）により所定の試薬容器から試薬を吸引させ、所定の反応容器（図示省略）に試料を吐出させる。さらに、反応容器が攪拌位置に回転すると、反応容器中の試料及び試薬が攪拌され反応液となる。さらに、反応容器が測定位置に回転すると、測定位置を通過する反応容器に光を照射して、透過した光から設定波長における吸光度を測定する。
【００２０】
次に、識別標示を読み取るための読取機構について図１から図５を参照して説明する。図２は読取機構を示す部分平面図、図３は図２のIII矢視図、図４は図３のIV−IV線断面図、図５は、ワイパー部材を光路の外に移動させた場合の読取機構等を示す矢視図である。以下の説明では、試薬容器に付された識別標示を読み取るための読取機構を代表して説明し、試料容器や反応容器に付される場合の識別標示を読み取るための読取機構の説明を省略する。
【００２１】
読取機構３０は、試薬庫１２内の試薬容器１２１の外周面に貼付された識別標示（バーコード）ＢＣを読み取るための読取部（バーコードリーダ）３１と、識別標示ＢＣと読取部３１との間の光路ＬＰを構成する光反射部材３２と、ブラケット３３と、を有している。
【００２２】
ブラケット３３は、試薬庫１２の外周に面するように立壁部３３１が形成され、立壁部３３１の先端部３３２は試薬庫１２側に折れるように形成されている。立壁部３３１には読取部３１が設けられ、立壁部３３１の先端部３３２には光反射部材３２が設けられている。光反射部材３２は、試薬容器１２１の識別標示ＢＣと読取部３１との間の光路ＬＰをほぼ直角に曲げることにより、読取部３１により識別標示ＢＣを読み取り可能な一定長以上の光路ＬＰを確保している。
【００２３】
読取部３１及び光反射部材３２はブラケット３３の天井部３３３により上方から覆われている。さらに、図示省略したカバー部材の下方にはパネル部材３４が設けられ、パネル部材３４は、読取部３１、光反射部材３２、及び、ブラケット３３を含む読取機構３０を外部から覆うように形成されている。
【００２４】
次に、光反射部材３２の表面３２１に付着した汚れを拭き取るための機構について図２から図５を参照して説明する。拭き取るための機構としては、ワイパー部材４０と、ワイパー部材４０に連結された操作部材４１と、ガイド部材４２とを有している。
【００２５】
ワイパー部材４０は、光反射部材３２の表面３２１の汚れを拭き取ることができるものであれば良く、例えば、天然繊維又は合成繊維により成形された弾性及び撓み性を有する織布、不織布である。ワイパー部材４０は、光路ＬＰの内と外との間を移動可能に案内される。ここで、光路ＬＰの内と外との間に移動するとは、本実施形態のように移動する対象がワイパー部材４０である場合、ワイパー部材４０が光路ＬＰを横切ること、及び、光路ＬＰの外から内に移動した後に元の光路ＬＰの外に戻ることを含む。一方で、移動する対象が光反射部材３２の場合は、光反射部材３２を光路ＬＰの内と外との間に移動することをいう。
【００２６】
本実施形態では、ワイパー部材４０が光路ＬＰを横切るものである。光路ＬＰの外（左側）から光路ＬＰの内に移動され、さらに光路ＬＰの外（右側）に移動されたワイパー部材４０を図３に示し、光路ＬＰの外（右側）から光路ＬＰの内に移動され、さらに光路ＬＰの外（左側）に移動されたワイパー部材４０を図５に示す。
【００２７】
操作部材４１は平板状に形成されている。操作部材４１の裏面側にはワイパー部材４０が固定されている。操作部材４１のスライド方向の操作により、ワイパー部材４０が光反射部材３２の表面３２１に接触しながら移動して、光反射部材３２の表面３２１を拭き取る。スライド方向は、操作部材４１の操作をし易い方向であれば良く、前後方向、上下方向、左右方向、及び、それらの方向に対して斜めの方向を含む。
【００２８】
本実施形態において、前後方向であるスライド方向ＳＤを図２、図３及び図５にそれぞれ示す。また、互いに接触した光反射部材３２の表面３２１とワイパー部材４０とを図４に示す。
【００２９】
ガイド部材４２には上溝４２１及び下溝４２２が形成され、上溝４２１及び下溝４２２には、平板形状の操作部材４１の上縁４１１及び下縁４１２が嵌め込まれている。ガイド部材４２の端縁には、操作部材４１の先端縁４１３に当接し、操作部材４１の後方移動を阻止することで、ワイパー部材４０を光路ＬＰの外（右側）に位置させたストッパー部４２３が形成されている。ワイパー部材４０を光路ＬＰの外（右側）に位置させたとき、操作部材４１が光路ＬＰの内に位置するが、操作部材４１に形成された開口４１４が光路ＬＰを通すようになっている。
【００３０】
ブラケット３３の立壁部３３１は、ワイパー部材４０をスライド方向に移動させるときに操作部材４１を通すためのスリット穴３３４を有している。操作部材４１の基端縁４１５が、スリット穴３３４を通ってブラケット３３の外側に突出しており、操作部材４１の基端縁４１５は、操作時の摘み部になっている。ブラケット３３及びパネル部材３４の外側に設けられた操作部材４１の基端縁４１５を図３に示す。操作部材４１の基端縁４１５をブラケット３３及びパネル部材３４の外側に設けたことにより、パネル部材３４の外部から操作部材４１の操作が可能となる。パネル部材３４をわざわざ外すことなく、短時間に、操作部材４１による簡単な手動操作で、ワイパー部材４０をスライド方向に移動させて、光反射部材３２の表面３２１の汚れを拭き取ることが可能となる。
【００３１】
なお、前記実施形態では、ガイド部材４２が操作部材４１を介してワイパー部材４０を間接的に案内したが、ワイパー部材４０を直接的に案内しても良い。
【００３２】
また、前記実施形態では、ワイパー部材４０を移動させたが、これに限らず、光反射部材３２を光路の内と外との間に移動可能に設け、光反射部材３２に操作部材４１を連結し、操作部材４１が操作されることにより、光反射部材３２を光路の内と外との間に移動可能に構成しても良い。
【００３３】
さらに、前記ワイパー部材４０及び操作部材４１等は、試薬容器に付された識別標示を読み取るための読取機構に係る光反射部材３２の表面３２１の汚れを拭き取るものであるが、本発明は、試料容器又は反応容器に識別標示が付される場合には、その識別標示を読み取るための読取機構に係る光反射部材３２の表面３２１の汚れを拭き取るものに適用される。
【００３４】
さらに、上記の実施形態においては、平面鏡である光反射部材３２を示したが、光反射部材３２が凸面鏡や凹面鏡である場合、その表面を拭き取るためのワイパー部材４０を、その凸面や凹面に沿って相対移動するように設ければよい。
【００３５】
［第２の実施形態］
次に、この発明の第２の実施形態について図６及び図７を参照にして説明する。図６は本発明の第２の実施形態に係る読取機構を示す図、図７は、図６のVII−VII線断面図である。
【００３６】
第２の実施形態に係る自動分析装置の構成が、第１の実施形態に係る自動分析装置の構成と異なる点は、光反射部材３２が光路ＬＰの内から拭き取り可能な光路ＬＰの外に移動可能に構成される点である。したがって、第２の実施形態に係る自動分析装置１０は、光反射部材３２との相対移動により光反射部材３２の表面３２１の汚れを拭き取るワイパー部材４０を有していない。以下の説明において、第２の実施形態に係る自動分析装置の構成が、第１の実施形態に係る自動分析装置と同じ構成の場合、同一番号を付して説明する。
【００３７】
光反射部材３２は、操作部材４１の表面側に連結されている。操作部材４１の操作の操作により、光反射部材３２が光路ＬＰの内と外との間に移動可能に構成される。
【００３８】
光路ＬＰの内に移動した光反射部材３２を図６に示し、光路ＬＰの外に移動した光反射部材３２を図８に示す。また、操作部材４１の表面側に固定された光反射部材３２を図７に示す。
【００３９】
操作部材４１をスライド方向ＳＤに操作することにより、ガイド部材４２に案内されて、光反射部材３２が光路ＬＰの内から外に移動される。それにより、光反射部材３２の表面３２１の汚れを手操作により拭き取ることが可能となる。汚れを拭き取った後に、操作部材４１を反対方向に操作することにより、ガイド部材４２に案内されて、光反射部材３２が光路ＬＰの内に移動される。それにより、光反射部材３２が光路ＬＰを構成するようになる。
【００４０】
以上の簡単な構成により、必要時に、短時間かつ容易に光反射部材３２の表面３２１の汚れを拭き取ることができる。
【００４１】
［第３の実施形態］
次に、この発明の第３の実施形態について図９から図１１を参照にして説明する。図９は、本発明の第３の実施形態に係る読取機構を示す部分平面図、図１０は、図９のＸ矢視図であり、カバー部材を開いた場合の読取機構を示す図、図１１はカバー部材を閉じた場合の読取機構を示す図である。
【００４２】
第３の実施形態に係る自動分析装置１０が、第１の実施形態に係る自動分析装置１０の構成と異なる点は、光反射部材３２の表面３２１の汚れを自動的に拭き取る点である。したがって、光反射部材３２を手動で操作するための操作部材４１を有していない。
【００４３】
ワイパー部材４０は、カバー部材１５の開閉に連動するように構成される。連動させるための機構であるシャフト部材４５の下端をボールジョイント（図示省略）を介して操作部材４１に取り付け、シャフト部材４５の上端をボールジョイント（図示省略）を介してカバー部材１５に連結させる。操作部材４１の裏面側にワイパー部材４０が固定される。シャフト部材４５は一定量伸縮可能に構成されている。
【００４４】
操作部材４１の側縁４１６、４１７が、ガイド部材４２の側溝４２６、４２７にスライド方向（上下方向）に移動可能に嵌め込まれている。パネル部材３４には、操作部材４１を通すスリット穴３４４が形成されている。なお、本実施形態においても、スライド方向は、上下方向に限らず、左右方向、前後方向、及び、それらの方向に対して斜めの方向であっても良い。
【００４５】
カバー部材１５の開閉と連動して、シャフト部材４５が一定量伸びた後で、操作部材４１を上方に引き上げることで、シャフト部材が上方に移動し、また、シャフト部材４５一定量縮んだ後で、操作部材４１を下方に押し込むことで、シャフト部材４５が下方に移動することで、ワイパー部材４０が光反射部材３２の表面３２１に接しながら、光路ＬＰの内と外との間に移動され、それにより、表面３２１の汚れを自動的に拭き取ることができる。
【００４６】
光反射部材３２の表面３２１の汚れを自動的に拭き取るため、わざわざ、操作部材４１等を操作しなくても良く、光反射部材３２の汚れが原因で識別標示ＢＣの誤認識となることを防ぐことができ、より効果的に運用できる。
【００４７】
なお、前記第３の実施形態では、ワイパー部材４０をカバー部材の開閉と連動させたが、光反射部材３２を連動させても良い。
【符号の説明】
【００４８】
１０  自動分析装置    １１  試料庫    １１１  ディスクサンプラ
１１２  ラックトレイ    １１３  ラックサンプラ
１２  試薬庫    １３  反応庫    １５  カバー部材
２１  試料アーム    ２２  試薬アーム
３０  読取機構    ３１  読取部    ３２  光反射部材
３２１  表面    ３３  ブラケット    ３３１  立壁部
３３２  先端部    ３３３  天井部    ３３４  スリット穴
３４  パネル部材    ４０  ワイパー部材    ４１  操作部材
４１１  上縁    ４１２  下縁    ４１３  先端縁
４１４  開口    ４１５  基端縁    ４１６  側縁    ４１７  側縁
４２  ガイド部材    ４２１  上溝    ４２２  下溝    ４２３  ストッパー部
４２６  側溝    ４２７  側溝
【図１】
0005450220.tif 000002
【図２】
0005450220.tif 000003
【図３】
0005450220.tif 000004
【図４】
0005450220.tif 000005
【図５】
0005450220.tif 000006
【図６】
0005450220.tif 000007
【図７】
0005450220.tif 000008
【図８】
0005450220.tif 000009
【図９】
0005450220.tif 000010
【図１０】
0005450220.tif 000011
【図１１】
0005450220.tif 000012